(57)【特許請求の範囲】
【請求項１】
柱および梁を箱状に組んだ骨組みの下面に防蟻シートを張った建物ユニットの配管構造であって、
前記防蟻シートを貫通して設けられた配管と、
この配管に装着され、かつ前記配管周りの前記防蟻シートを上下から挟み込んで、前記配管と前記防蟻シートとの隙間を塞ぐ一対の挟持プレートとを備えたことを特徴とする建物ユニットの配管構造。
【請求項２】
請求項１に記載した建物ユニットの配管構造において、
前記挟持プレートは、平面形状略Ｕ字状の一対の円弧状プレートからなるリング状のプレートであり、
これらの円弧状プレートは、前記配管を両側から挟み付けた状態で互いに結合されていることを特徴とする建物ユニットの配管構造。
【請求項３】
請求項２に記載した建物ユニットの配管構造において、前記一対の円弧状プレートは、一端に突起を有しかつ他端に前記突起に係合する受け部を備えた互いに同一形状のものであることを特徴とする建物ユニットの配管構造。
【請求項４】
請求項２または請求項３に記載した建物ユニットの配管構造において、前記円弧状プレートは、その内側の円弧状の端縁と同心の円弧状のカット溝を有することを特徴とする建物ユニットの配管構造。
【請求項５】
請求項１に記載した建物ユニットの配管構造において、
前記挟持プレートは、前記配管を挿通可能なリング状に形成され、かつ、前記配管の外周面に螺合されていることを特徴とする建物ユニットの配管構造。
【請求項６】
請求項１から請求項５までのいずれかに記載した建物ユニットの配管構造において、
前記配管の下端は、前記骨組みの下面から上方とされ、
前記挟持プレートは、前記骨組みの下面から上方で前記配管に装着され、
これらの挟持プレートにより前記防蟻シートは前記骨組みの下面よりも上方に持ち上げられていることを特徴とする建物ユニットの配管構造。
【発明の詳細な説明】
【０００１】
【発明の属する技術分野】
本発明は、柱および梁を箱状に組んだ骨組みの下面に床下シートを張った建物ユニットの配管構造に関し、詳しくは、床下シートを貫通して配管を設けた建物ユニットの配管構造に関する。
【０００２】
【背景技術】
近年、工業化率を高めて建設現場での施工期間を短縮するために、複数の建物ユニットを予め工場で製造し、これらを建設現場で組み合わせて建物を構築するユニット工法が用いられている。
例えば、略直方体形状の建物ユニットを製造する場合には、工場において、四本の柱の上端間および下端間をそれぞれ上梁および下梁により連結して略直方体形状の骨組みを形成し、この骨組みに床面材や天井面材等の造作材を組み付けるようにしている。このような建物ユニットでは、通常、骨組みの下面に防蟻シート等の床下シートが張られる。
【０００３】
また、給水管、排水管およびガス管等の設備用の配管は、工場において、予め各建物ユニット毎に配管を組み込んでおき、建設現場において、各建物ユニットの配管同士を接続している。
このような設備用の配管を一階部分の建物ユニットから下方に延ばす場合、例えば、図８に示すように、配管を上下に積層した建物ユニット９１，９２に跨って設ける場合には、上階の建物ユニット９１の下梁９３上に取り付けた床面材９４に貫通孔９５を形成するとともに、下梁９３の下面に張った床下シート９６に十字状の切り込み９７を設け、これらの貫通孔９５および切り込み９７に配管９８を挿通させていた。
【０００４】
【発明が解決しようとする課題】
この方法では、配管９８を床下シート９６に貫通させる際、その切り込み９７に配管９８を貫通させるのみであるため、切り込み９７がめくれて配管９８と床下シート９６との間に比較的大きな隙間が形成され、建物ユニット９１の気密性が低下するという問題があった。とくに、床下シート９６が防蟻シートである場合には前述した隙間によって十分な防蟻効果が得られないおそれがあった。
【０００５】
本発明の目的は、床下シートと配管との間に生じる隙間を確実に塞ぐことができ、これにより、建物ユニットの気密性を高めることができるとともに、床下シートが防蟻シートの場合には優れた防蟻効果を確保できる建物ユニットの配管構造を提供することにある。
【０００６】
【課題を解決するための手段】
本発明は、図面を参照して説明すると、柱１１，２１および梁１２，１３，２２，２３を箱状に組んだ骨組み１４，２４の下面に防蟻シート１７，２７を張った建物ユニット１，２の配管構造であって、防蟻シートを貫通して設けられた配管３，６，７と、この配管に装着され、かつ前記配管周りの防蟻シートを上下から挟み込んで、配管と防蟻シートとの隙間を塞ぐ一対の挟持プレート４，５，８，９とを備えたことを特徴とする。
【０００７】
本発明においては、配管には、床下シートを上下から挟み込む挟持プレートが取り付けられているので、配管を床下シートに挿通させることにより床下シートがめくれて配管との間に隙間が生じても、この隙間を一対の挟持プレートによって上下から塞ぐことができるから、建物ユニットの気密性を高められる。また、優れた防蟻効果を確保できる。
【０００８】
前述した挟持プレートは、平面形状略Ｕ字状の一対の円弧状プレート４０，５０からなるリング状のプレートであり、これらの円弧状プレートは、配管を両側から挟み付けた状態で互いに結合されていてもよい。
このような挟持プレートは、一対の円弧状プレートと配管との間に生じる摩擦力によって配管に対して固定される。
挟持プレートは一対の円弧状プレートに分割されているので、配管における所定位置、具体的には、防蟻シートの上および下の位置に直接取り付けることができ、挟持プレートを配管の端部からはめ込んで所定位置まで移動させなくてもよいから、簡単に装着できる。
【０００９】
この場合、円弧状プレート同士は、例えば、ねじ等の止着具を用いて結合してもよいが、一対の円弧状プレートは、一端に突起４３を有しかつ他端に突起に係合する受け部４４を備えた互いに同一形状のものであることが好ましい。
【００１０】
このような一対の円弧状プレートは、リング状になるように向かい合わせると、互いの突起と受け部とが向かい合うようになる。これら一対の円弧状プレートを向かい合わせた状態で配管を挟み付け、互いの突起および受け部を係合させると、円弧状プレートは配管を締め付けた状態で相互に結合される。従って、円弧状プレートの各突起および各受け部を互いに係合させるだけで、円弧状プレート同士を簡単に結合できるとともに、配管に対して容易に装着できる。
また、一対の円弧状プレートを共通化することで、円弧状プレートを簡単かつ安価に製造できる。
【００１１】
さらに、円弧状プレートは、その内側の円弧状の端縁と同心の円弧状のカット溝４６，４７を有することが望ましい。
このようにすると、カット溝に沿って円弧状プレートをカットすることにより、その内側の端縁の円弧の大きさ、つまり挟持プレートの内径を簡単かつ正確に変えられる。従って、配管の外径に応じて円弧状プレートをカットすれば、外径の異なる配管に対しても共通の円弧状プレートで対応できる。
【００１２】
或いは、前述した挟持プレートは、配管を挿通可能なリング状に形成され、かつ、配管の外周面に螺合されていてもよい。
このように挟持プレートを配管に螺合させれば、挟持プレートを配管の所定位置に確実に固定できる。
【００１３】
そして、配管が骨組みの下面よりも下方に突出している場合等には、挟持プレートを骨組みの下面よりも下方で配管に取り付けてもよいが、配管の下端は、骨組みの下面から上方とされ、挟持プレートは、骨組みの下面から上方で配管に装着され、これらの挟持プレートにより防蟻シートは骨組みの下面よりも上方に持ち上げられていることが望ましい。
ここで、「骨組みの下面から上方」とは、骨組みの下面と面一の場合と、骨組みの下面よりも上方の場合との両方の場合を含む。
【００１４】
この場合、骨組みの下面から配管の下端および挟持プレートが突出しないため、建物ユニットを平坦な場所に載置する際にこれらの配管の下端および挟持プレートを特別に保護しなくてもよいから、建物ユニットの輸送や保管を容易に行える。従って、工場において、建物ユニットの骨組みに配管および挟持プレートを予め組み込んでおけるので、建物ユニットの工業化率を高めることができる。
また、防蟻シートは骨組みの下面よりも上方に持ち上げられているため、防蟻シートの弛みを確実に防止できる。
【００１５】
【発明の実施の形態】
〔第一実施形態〕
以下、本発明の第一実施形態を図面に基づいて説明する。図１には、二段に積層された本実施形態の建物ユニット１，２が示されている。建物ユニット１，２は、それぞれ、四本の柱１１，２１（図では各二本のみ図示）と、四本の柱１１，２１の上端間を連結する四本の上梁１２，２２と（図では三本のみ図示）と、四本の柱１１，２１の下端間を連結する四本の下梁１３，２３（図では三本のみ図示）とを含む直方体形状の骨組み１４，２４を備えている。各骨組み１４，２４内には、各々天井面材１５．２５および床面材１６，２６が組み付けられている。このうち、天井面材１５，２５はそれぞれ上梁１２，２２の下面に張られ、床面材１６，２６は下梁１３，２３の上面に張られている。また、各骨組み１４，２４の下面、つまり、下梁１３，２３の下面には、床下シートとしての防蟻シート１７，２７が張られている。
【００１６】
上段に積層された上階建物ユニット１には、建物用設備である洗面台１８が組み込まれている。この洗面台１８には、塩化ビニル樹脂等のプラスチックからなる配管としての排水管３が接続され、この排水管３は下段に配置された下階建物ユニット２を貫通して図示しない下水道に接続されている。これにより、洗面台１８の汚水を排水管３を通じて排水できるようになっている。
排水管３は、図２に示すように、上階建物ユニット１の床面材１６および防蟻シート１７と、下階建物ユニット２の天井面材２２とを貫通して設けられている。本実施形態の排水管３は、上階建物ユニット１内に組み込まれた上階排水管３１と、下階建物ユニット２内に組み込まれた下階排水管３２と、これらの建物ユニット１，２に跨って上階排水管３１および下階排水管３２を連結する連結管３３とを含んで構成されている。
【００１７】
上階排水管３１の下端および連結管３３の上端は、上階建物ユニット１の床面材１６に挿通された差込継手３４を介して接続されている。差込継手３４は環状の鍔部３４Ａを備え、この鍔部３４Ａは上階建物ユニット１の床面材１６の上面に係止されている。
一方、下階排水管３２は、その上端が下階建物ユニット２の骨組み２４の上面、具体的には、上梁２２の上面の高さレベルよりも若干低くなるように天井面材２５を貫通して設けられている。この下水排水管３２には、天井面材２５の貫通部分をその下面側から覆うカバー３６が取り付けられている。このような下階排水管３２の上端および連結管３３の下端は、差込継手３５を介して天井面材２５よりも上方で接続されている。
【００１８】
上階排水管３１および下階排水管３２を連結する連結管３３は、図３にも示すように、上階建物ユニット１の防蟻シート１７に形成された切り込み等からなる貫通孔１７Ａに挿通されている。
このような連結管３３には、防蟻シート１７を上下から挟み込む一対の挟持プレート４，５が装着されている。これらの挟持プレート４，５は、それぞれ平面形状略Ｕ字状の一対の円弧状プレート４０，５０からなるリング状のプレートであり、これらの円弧状プレート４０，５０は、連結管３３を両側から挟み付けた状態で互いに結合されている。
【００１９】
一対の円弧状プレート４０，５０は、塩化ビニル樹脂等のプラスチックからなる互いに同一形状のものである。このような円弧状プレート４０，５０は、図４に示すように、一端に突起４３を有しかつ他端に突起４３に係合する受け部４４を備えた円盤状のプレート本体４１を含み、互いの突起４３および受け部４４を係合させることにより一体化できるようになっている。
また、円弧状プレート４０，５０は、図５にも示すように、それぞれプレート本体４１の内側（プレート４０，５０同士で対向する側）の円弧状の端縁４１Ａから垂直に立ち上がる立上部４５を備えている。この立上部４５は、連結管３３の外形形状、つまり外径に対応した円弧状の平面形状を有し、二つの円弧状プレート４０，５０の各立上部４５により連結管３３（図２および図３参照）を挟持するようになっている。これにより、円弧状プレート４０，５０と連結管３３との接触面積が大きくなって摩擦力を増大できるから連結管３３に対して強固に取り付けることができる。また、立上部４５を連結管３３に密着させることでそれと直角な各プレート本体４１が連結管３３に対して直交するようになるので、円弧状プレート４０，５０を連結管３３に対して直交するように正確な姿勢で装着できる。
【００２０】
また、円弧状プレート４０，５０は、図５に示すように、複数の円弧状のカット溝４６，４７と、各カット溝４６，４７に沿って立設された立上部４８，４９とを備えている。
カット溝４６，４７はそれぞれ断面略Ｖ字状に形成され、これらのカット溝４６，４７に沿ってプレート本体４１を切断できるようになっている。このようなカット溝４６，４７は、プレート本体４１の内側の端縁４１Ａと同心円上に形成され、連結管３３とは外径の異なる他の連結管に対応した位置に設けられている。
【００２１】
立上部４８，４９は、カット溝４６，４７の外側の開口端から垂直に立ち上がって設けられ、前述した立上部４５と同様に、カット溝４６に沿って円弧状プレート４０，５０をカットした場合には各立上部４８で連結管を両側から挟持するように構成され、かつ、カット溝４７に沿って円弧状プレート４０，５０をカットした場合には、各立上部４８で連結管を両側から挟持するように構成されている。
これらの立上部４８，４９の各内側の面はそれぞれカット溝４６，４７を構成する外側の側壁４６Ａ，４７Ａと面一にされ、カット溝４６，４７に沿ってプレート本体４１をカットしたときに、その切断面が立上部４８，４９の内側の面と面一になるように構成されている。これにより、立上部４８，４９を連結管に対して密着させることができる。
なお、図５では、円弧状プレート４０についてのみ図示したが、円弧状プレート５０も円弧状プレート４０と同一のものである。また、図４，５では、挟持プレート４についてのみ図示したが、挟持プレート５も挟持プレート４と同一のものである。
【００２２】
一方、図１に戻って、上階排水管３１および連結管３３の接続構造と同様な構造で、下階排水管３２の下端には下階建物ユニット２の防蟻シート２７を貫通して下水道に延びる床下排水管３８が接続され、この床下排水管３８には、連結管３３に装着された挟持プレート４，５と同じ挟持プレート４，５が同様にして装着され、これにより、防蟻シート２７に形成された貫通孔（図示省略）が塞がれている。
【００２３】
このように構成された本実施形態においては、次のような手順で排水管３の施工を行う。
先ず、工場において、柱１１，２１および梁１２，１３，２２，２３により骨組み１４，２４を組んで、これらの骨組み１４，２４にそれぞれ天井面材１５，２５および床面材１６，２６等の造作材を組み付けて建物ユニット１，２を製造する。このとき、各骨組み１４，２４の下面にそれぞれ防蟻シート１７，２７を張り、上階建物ユニット１には上階排水管３１を組み込み、下階建物ユニット２には下階排水管３２を組み込んでおく。
この後、建物ユニット１，２を建設現場に輸送し、現場において、基礎（図示省略）に下階建物ユニット２を載置し、この下階建物ユニット２上に上階建物ユニット１を積層する。このとき、上階建物ユニット１の防蟻シート１７を貫通して連結管３３を配置し、その各端部をそれぞれ差込継手３４，３５を介して上階排水管３１および下階排水管３２に接続する。
【００２４】
次いで、連結管３３に対して挟持プレート４，５を装着し、これらの挟持プレート４，５によって防蟻シート１７を上下から挟み込む。
すなわち、一対の円弧状プレート４０，５０の各プレート本体４１を上に向けて、互いの内側の立上部４５を向かい合わせるようにし、防蟻シート１７の下側で連結管３３を両側から挟み込む。このとき、円弧状プレート４０，５０の各プレート本体４１を防蟻シート１７に密着させて貫通孔１７Ａを下側から塞ぐようにし、互いの突起４３と受け部４４とを係合させて円弧状プレート４０，５０を一体化する。すると、連結管３３の外周面には円弧状プレート４０，５０の各立上部４５が圧接されて連結管３３が締め付けられるようになり、これにより、挟持プレート５を連結管３３に対して固定する。
【００２５】
同様にして、一対の円弧状プレート４０，５０の各プレート本体４１を下に向け、互いの内側の立上部４５を向かい合わせて、防蟻シート１７の上側で連結管３３を両側から挟み込む。このとき、円弧状プレート４０，５０の各プレート本体４１を防蟻シート１７に密着させて貫通孔１７Ａを上から塞ぐようにし、下側の挟持プレート５とともに防蟻シート１７を挟み付ける。その状態で、互いの突起４３および受け部４４を係合させて円弧状プレート４０，５０を一体化し、これにより、挟持プレート４を連結管３３に固定する。
なお、挟持プレート４，５の設置にあたっては、上側の挟持プレート４を設置してから下側の挟持プレート５を取り付けてもよい。
【００２６】
また、床下排水管３８は下階建物ユニット２の防蟻シート２７を貫通させ、下階排水管３２の下端に接続する。この後、連結管３３の場合と同様にして、床下排水管３８に対して興じプレート４，５を装着し、これらの挟持プレート４，５によって防蟻シート２７を上下から挟み付ける。
【００２７】
また、本実施形態の連結管３３および床下排水管３８よりも外径の大きい排水管に対して挟持プレート４，５を取り付ける場合には、その排水管の外径に対応したカット溝４６，４７に沿って円弧状プレート４０，５０を切断してから装着する。
【００２８】
このような本実施形態によれば、以下のような効果がある。
すなわち、連結管３３および床下排水管３８には、それぞれ防蟻シート１７，２７を上下から挟み込む挟持プレート４，５が取り付けられているので、連結管３３を防蟻シート１７に挿通させることにより防蟻シート１７がめくれて連結管３３との間に隙間が生じたり、床下排水管３８を防蟻シート２７に挿通させることにより防蟻シート２７がめくれて排水管との間に隙間が生じたりしても、その隙間を一対の挟持プレート４，５によって上下から塞ぐことができるから、建物ユニット１，２の気密性を高められるうえに、優れた防蟻効果を確保できる。
【００２９】
また、挟持プレート４，５はそれぞれ一対の円弧状プレート４０，５０に分割されているので、連結管３３における防蟻シート１７の上側および下側、床下排水管３８における防蟻シート２７の上側および下側に直接取り付けることができる。従って、挟持プレート４，５を連結管３３や床下排水管３８の端部からはめ込んで所定位置まで移動させなくてもよいから、簡単に装着できる。
【００３０】
さらに、円弧状プレート４０，５０は、一端に突起４３を有しかつ他端に突起４３に係合する受け部４４を備えているため、円弧状プレート４０，５０の各突起４３および各受け部４４を互いに係合させるだけで、円弧状プレート４０，５０同士を簡単に結合できるとともに、連結管３３および床下排水管３８に対して容易に装着できる。
また、一対の円弧状プレート４０，５０は同一のものであり、共通化できるので、円弧状プレート４０，５０を簡単かつ安価に製造できる。
【００３１】
さらに、円弧状プレート４０，５０は、その内側の円弧状の端縁４１Ａと同心の円弧状のカット溝４６，４７を有するので、カット溝４６，４７に沿って円弧状プレート４０，５０をカットすることにより、円弧状プレート４０，５０の円弧の大きさ、つまり挟持プレート４，５の内径を簡単かつ精度よくに変えられる。従って、連結管３３および床下排水管３８の外径に応じて円弧状プレート４０，５０をカットすることで、外径の異なる連結管および床下排水管に対しても共通の円弧状プレート４０，５０で対応できる。
【００３２】
〔第二実施形態〕
図６に示す本実施形態の配管構造は、前記第一実施形態の連結管３３を省略したものであり、図１〜図５と同一部分には同一符号を付して詳しい説明は省略し、以下には異なる部分のみを詳述する。
本実施形態の上階排水管６１は、上階建物ユニット１の床面材１６および防蟻シート１７を貫通して設けられ、その下端が骨組み１４の下面よりも若干上方になるように設置されている。この上階排水管６１には、床面材１６の貫通部分をその上面側から覆うカバー３７が取り付けられている。
また、上階排水管６１の下端部には挟持プレート４，５が装着され、この挟持プレート４，５に挟み込まれた防蟻シート１７は骨組み１４の下面よりも上方に持ち上げられている。
このような上階排水管６１は、差込継手３５を介して直接下階排水管６２に接続されている。
【００３３】
また、図示しないが、下階排水管６２は、上階排水管６１と同様に下階建物ユニット２の防蟻シート２７（図１参照）を貫通して設けられ、その下端が骨組み２４（図１参照）の下面よりも若干上方になるように設置されている。下階排水管６２の下端部には、防蟻シート２７を挟み付ける挟持プレートが装着され、これらの挟持プレートにより、防蟻シート２７は骨組み２４の下面よりも上方に持ち上げられている。この下階排水管６２の下端は、差込継手を介して床下排水管に接続されている。
【００３４】
このように構成された本実施形態においては、工場において、建物ユニット１，２を組み立てる際に、上階建物ユニット１に上階排水管６１を組み込み、下階建物ユニット２に下階排水管６２を組み込んでおく。このとき、上階建物ユニット１においては、上階排水管６１の下端部を防蟻シート１７の貫通孔１７Ａに挿通し、この上階排水管６１に挟持プレート４，５を装着し、これらの挟持プレート４，５により防蟻シート１７を挟み付けて上方に持ち上げておく。これにより、上階建物ユニット１の下面から上階排水管６１、挟持プレート４，５および防蟻シート１７が突出することがなくなる。
同様にして、下階建物ユニット２の下階排水管６２にも挟持プレートを装着して防蟻シート２７（図１参照）を持ち上げるようにする。
【００３５】
そして、建設現場において、建物ユニット１，２を積層するときに、上階排水管６１および下階排水管６２を差込継手３５により接続し、下階排水管６２の下端を床下排水管に接続する。
【００３６】
このような本実施形態によれば、前記第一実施形態と同様な作用、効果を奏することができる他、次のような効果がある。
すなわち、上階排水管６１の下端および下階排水管６２の下端は、各骨組み１４，２４の下面から上方とされ、挟持プレート４，５は、各骨組み１４，２４の下面よりも上方で上階排水管６１および下階排水管６２に装着されているため、骨組み１４の下面からは上階排水管６１の下端および挟持プレート４，５が突出しなくなり、骨組み２４の下面からは下階排水管６２の下端および挟持プレートが突出しなくなる。このため、建物ユニット１，２を平坦な場所に載置する際に、これらの上階排水管６１および下階排水管６２の各下端部および挟持プレート４，５を特別に保護しなくてもよいから、建物ユニット１，２の輸送や保管を容易に行える。従って、工場において、建物ユニット１，２の骨組み１４，２４にそれぞれ排水管６１，６２および挟持プレート４，５を予め組み込んでおけるので、建物ユニット１，２の工業化率を高めることができる。
また、防蟻シート１７，２７は挟持プレート４，５によって各骨組み１４，２７の下面よりも上方に持ち上げられているため、防蟻シート１７，２７の弛みを確実に防止できる。
【００３７】
〔第三実施形態〕
本実施形態の配管７の構造は、前記第一実施形態の配管３の構造と略同様な構成を備え、上階排水管、連結管および下階排水管の接続構造が異なるのみであるので、同一部分には同一符号を付して詳しい説明は省略し、以下には異なる部分のみを詳述する。
図７に示すように、本実施形態の上階排水管７１、下階排水管７２および連結管７３は鋼管等のねじ切可能な材料からなるものであり、上階排水管７１の下端部、下階排水管７２の上端部および連結管７３の上下端部にはそれぞれテーパねじ７１Ａ，７２Ａ，７３Ａ，７３Ｂが切られている。上階排水管７１の下端および連結管７３の上端は内部に雌ねじが切られたねじ込み用継手７４を介して接続され、同様に、連結管７３の下端および下階排水管７２の上端はねじ込み用継手７５を介して連結されている。
【００３８】
本実施形態の連結管７３には、その下端部のテーパねじ７３Ｂの上に雌ねじ７３Ｃが切られ、この雌ねじ７３Ｃに挟持プレート８，９が螺合されている。
本実施形態の挟持プレート８，９は、ねじ切り可能な材料からなり、連結管７３を挿通可能なリング状に形成され、前記第一実施形態のカット溝４６，４７および立上部４８，４９を備えていない。このような挟持プレート８，９は、前記第一実施形態と同様に防蟻シート１７を挟み込んだ状態で連結管７３に装着されている。
このような本実施形態の挟持プレート８，９は、連結管７３の雄ねじ７３Ｃに沿って上下に移動させることで、装着位置および防蟻シート１７の挟持状態を調整する。
また、図示しないが、下階排水管７２の下端に接続された床下排水管には、連結管７３に装着された挟持プレート８，９と同じ挟持プレートが装着され、これらの挟持プレート８，９により、下階建物ユニットの防蟻シートに形成された貫通孔が塞がれている。
【００３９】
このような本実施形態によれば、前記第一実施形態と同様な作用、効果を奏することができる他、挟持プレート８，９が連結管７３に螺合されているため、挟持プレート８，９を連結管７３の所定位置に確実に固定できる。
【００４０】
なお、本発明は前記各実施形態に限定されるものではなく、本発明の目的を達成できる他の構成等を含み、以下に示すような変形なども本発明に含まれる。
すなわち、前記第二実施形態の排水管６１，６２は、ねじ切り可能な材料により形成してもよく、この場合には、排水管を前記第三実施形態と同様にねじ込み用継手を介して接続してもよく、さらには、挟持プレート４，５の代わりに前記第三実施形態の挟持プレート８，９を装着するようにしてもよい。。
また、前記各実施形態の排水管３，６，７は複数の排水管に分割されていたが、これらが一体化されていてもよく、要するに、挟持プレートを装着する配管は、建物ユニットの床下シートを貫通する配管であれば、その長さや分割位置等は限定されない。
そして、排水管３，６，７の接続される設備は洗面台１８に限定されず、浴槽或いはシンク等、汚水が排出される設備であれば、その設備の種類は任意である。
【００４１】
前記各実施形態では配管が排水管である場合について説明したが、配管は排水管に限定されず、例えば、給水管、給湯管、或いは、ガス管であってもよく、配管の種類は任意である。
【００４２】
【発明の効果】
以上に述べたように、本発明によれば、配管には、防蟻シートを上下から挟み込む挟持プレートが取り付けられているので、配管と防蟻シートとの隙間を一対の挟持プレートによって上下から塞ぐことができるから、建物ユニットの気密性を高められる。また、優れた防蟻効果を確保できる。
【図面の簡単な説明】
【図１】本発明の第一実施形態を示す断面図。
【図２】前記第一実施形態の要部を示す断面図。
【図３】前記第一実施形態の配管を一部破断して示す分解図。
【図４】前記第一実施形態の挟持プレートを示す斜視図。
【図５】前記第一実施形態の円弧状プレートを示す図。
【図６】本発明の第二実施形態の要部を示す断面図。
【図７】本発明の第三実施形態の配管を一部破断して示す分解図。
【図８】従来の配管構造を示す断面図。
【符号の説明】
１，２  建物ユニット
３，６，７  排水管（配管）
４，５，８，９  挟持プレート
１１，２１  柱
１２，１３，２２，２３  梁
１４，２４  骨組み
１７，２７  防蟻シート（床下シート）
４０，５０  円弧状プレート
４３  突起
４４  受け部
４６，４７  カット溝
【図１】
0004017048.tif 000002
【図２】
0004017048.tif 000003
【図３】
0004017048.tif 000004
【図４】
0004017048.tif 000005
【図５】
0004017048.tif 000006
【図６】
0004017048.tif 000007
【図７】
0004017048.tif 000008
【図８】
0004017048.tif 000009